(57)【要約】【課題】製造コストの上昇や、室内機のコンパクト化の妨げになることなく、運転開始時の臭気を取り除き快適な室内環境を実現する。【解決手段】筐体の前面又は上面に備える吸込口８・１２と前面下部に備える吹出口１５とを結ぶ通風路に熱交換器４と送風ファン５を設け、前記吹出口１５に吹出風の上下方向を調節する水平羽根１６を備えた空気調和機に於いて、前記水平羽根１６内側面に脱臭フィルタ２０を装着し、冷房運転開始時には前記水平羽根１６を閉じた状態で所定時間送風ファン５を運転するようにしたものである。【選択図】　　　図１
2004144325.tif 000002
【特許請求の範囲】
【請求項１】
筐体の前面又は上面に備える吸込口と前面下部に備える吹出口とを結ぶ通風路に熱交換器と送風ファンを設け、前記吹出口に吹出風の上下方向を調節する水平羽根を備えた空気調和機に於いて、前記水平羽根内側面に脱臭フィルタを装着したことを特徴とする空気調和機。
【請求項２】
冷房運転開始時には前記水平羽根を閉じた状態で所定時間送風ファンを運転することを特徴とする請求項１記載の空気調和機。
【発明の詳細な説明】
【０００１】
【発明が属する技術分野】
この発明は空気調和機の室内ユニットに脱臭フィルタを装着したことに関するものである。
【０００２】
【従来の技術】
従来、空気調和機の室内ユニットは筐体の前面及び上面に吸込口を備え、前面下部に吹出口を備え、前記吸込口から吹出口を結ぶ通風路に熱交換器と送風ファンを設け、前記吸込口と熱交換器の間に備えた集塵フィルタや脱臭フィルタによって吸込空気の空気清浄を行っていた。（例えば、特許文献１参照）
また吹出口側から吸込口側へバイパス通路を設けたり、吹出空気を吸込口へショートサーキットさせることで塵埃の補足効率を向上させるものが有った。（例えば、特許文献２参照）
【０００３】
【特許文献１】
特開平２００１−２６３７８５号公報
【特許文献２】
特許第２７５２１６８号公報
【０００４】
【発明が解決しようとする課題】
しかしながら、夏期には冷房運転で発生した結露水によって運転停止時であっても室内ユニットの内部は高湿度であるため、カビや雑菌等が繁殖し、臭気が室内ユニットの内部に充満し、この臭気が冷房運転の開始時に一度に室内に拡散されるものであるが、吸込口近傍に設けられた脱臭フィルタでは、この運転開始時の臭気を除去することはできないものであった。
また吹出口側から吸込口側へバイパス通路を設けた場合には、構造が複雑になることで製造コストの上昇や、室内機のコンパクト化のさまたげになる問題を有していた。
また吹き出した空気をショートサーキットにより吸込口に戻す方法では、一旦室内に臭気が拡散してしまい運転開始時の臭気を除去する能力は弱いものであった。
【０００５】
【問題点を解決するための手段】
この発明はこの点に着目し上記欠点を解決する為、特にその構成を、筐体の前面又は上面に備える吸込口と前面下部に備える吹出口とを結ぶ通風路に熱交換器と送風ファンを設け、前記吹出口に吹出風の上下方向を調節する水平羽根を備えた空気調和機に於いて、前記水平羽根内側面に脱臭フィルタを装着したものである。
また冷房運転開始時には前記水平羽根を閉じた状態で所定時間送風ファンを運転するようにしたものである。
【０００６】
これによって、バイパス回路等の複雑な構造を設ける必要もなく、比較的安価で簡単に、冷房運転開始時室内に臭気が拡散されることを防止することができるものである。
【０００７】
【発明の実施の形態】
以下この発明の一実施例を図面をもとに説明すれば、１はセパレート式空気調和機の室内ユニットで、後板２と前方の前面パネル３によって筐体を形成し、この筐体内には熱交換器４と送風ファン５等を備えている。
前記熱交換器４はフィンチューブ式の熱交換器で、後板２と対向する後部熱交換器４ａと前面パネル３と対向する前部熱交換器４ｂを逆Ｖ字型に位置させている。
【０００８】
また前部熱交換器４ｂは前面パネル３に沿って多段階に屈曲して設けられ、この前部熱交換器４ｂの下方には前部ドレンパン６が設けられ、前部熱交換器４ｂで発生した結露水を受けるものである。
また前記後部熱交換器４ａの下部には後部ドレンパン７が後板２と一体に形成されている。
【０００９】
前記後板２は送風ファン５と熱交換器４等が取付けられると共に、上面には格子状の上吸込口８を備え、中央には前記クロスフロー式の送風ファン５のスタビライザを兼用する後部ドレンパン７を備え、この後部ドレンパン７の下方には送風ファン５のエアーガイダー９を備えている。
【００１０】
またこのエアーガイダー９の左側には前記送風ファン５の軸受１０を設け、エアーガイダー９の右側には送風モータ１１を取付けている。
【００１１】
前記前面パネル３の中央には横長スリット状の前吸込口１２を有するオープンパネル１３を備えこのパネル１３上部左右に設けた軸１４を支点として前面パネル３前方へ開閉自在に取付られ、前記前吸込口１２下方から前面パネル３底面には横長の吹出口１５を設け、また前記後板２と前面パネル３上面には前記前吸込口１２で不足する開口面積を補うために前記上吸込口８を設けている。
【００１２】
前記吹出口１５には上下方向の風向をコントロールする水平羽根１６と左右方向の風向をコントロールする左右風向板１７を設け、前記水平羽根１６は横長扁平の樹脂板の左右に回動軸１８を設け、ルーバーモータ１９により水平羽根１６の角度を変えることで吹出風の上下方向を好みの方向に向けるもので、一般に冷房運転時には水平方向に暖房運転時には下方に向けて運転するものであり、運転停止時には自動的に吹出口１５を蓋状に閉じる事で室内ユニット１の外観デザインをスッキリと向上させるだけでなく、運転開始時の脱臭運転を吹出口を閉じた状態で運転することで脱臭の効果をより高めることができるものである。
【００１３】
前記左右風向板１７はエアーガイダー９の下端に取り付けられ吹出風の左右方向を手動により好みの方向に向けることができるものである。
【００１４】
前記水平羽根１６は前側羽根１６ａと後側羽根１６ｂの２枚羽根で構成され、この後側羽根１６ｂの運転停止位置での羽根内側面に活性炭や光脱臭再生成分等を備えた脱臭フィルタ２０がフィルタ枠２１を後側羽根１６ｂに備えた爪等の係止部２２によって取り付けられている。
【００１５】
前記送風モータ１１やルーバーモータ１９は室内制御部２３によって運転停止を含む回転制御が行われ、この室内制御部２３から連絡電線２４にて室外制御部２５に接続され、この室外制御部２５にて圧縮機２６や室外モータ２７、膨脹弁２８等の室外ユニット（図示せず）に備える電気部品の運転制御を行うものである。
また前記室内制御部２３にはリモコン２９の受信部３０が接続され、前記リモコン２９に備えた運転スイッチ３１やタイマスイッチ３２等のスイッチ類にて運転指令が発せられるものである。
【００１６】
３３は前吸込口１２と熱交換器４の間に設けた室温センサで、サーミスタセンサ等からなり、吸込空気の温度を測定するものである。
３４は前記リモコン２９に備えた室温設定スイッチで、使用者の好みに応じて室温の設定を行うものである。
【００１７】
運転開始時の作動について説明すれば、運転スイッチ３１等の操作で運転が開始されれば、室内制御部２３にて水平羽根１６を閉じた状態で送風モータ１１が弱の低速運転を開始する。
同時に室外制御部２５にて圧縮機２６や室外モータ２７が始動し、冷房運転が開始される。
【００１８】
室内ユニット１内は熱交換器４やドレンパン６・７に残る結露水によって高湿度であるため、カビや雑菌が発生することにより、運転停止時臭気が充満しているが、図１に示す矢印のように吹出口１５を閉じた状態で送風ファン５を運転することで、水平羽根１６の内側に備えた脱臭フィルタ２０の作用により脱臭運転が開始される。
【００１９】
その後、水平羽根１６を閉じた状態で運転開始後約１分間の所定時間後にルーバーモータ１９にて水平羽根１６が開き、斜め前方の室内に脱臭フィルタ２０にて脱臭された空調空気が、室温設定スイッチ３４にて設定された温度と、室温センサ３３にて測定された室温の温度差に応じた風量で室内に吹き出されるものである。
【００２０】
このように、運転開始時の脱臭運転を吹出口を閉じた状態で運転することで脱臭フィルタ２０の脱臭効果をより高めることができるものである。
また、冷房の間欠運転等によって行われる、除湿運転の場合でも前記の脱臭運転の制御が行われ、除湿運転の運転開始時の臭気を取り除くものである。
【００２１】
このように、従来のようなバイパス回路等の複雑な構造を設ける必要もなく、比較的安価で簡単に、冷房運転開始時に室内に臭気が拡散されることを防止することができるものである。
また、通常の運転時においても、吹出空気は脱臭フィルタ２０の表面に接触する事で脱臭効果を発揮するものである。
また、脱臭フィルタ２０の着脱も水平羽根１６の係止部２２にフィルタ枠２１を係合するだけなので極めて簡単である。
【００２２】
【発明の効果】
以上のようにこの発明によれば、バイパス回路等の複雑な構造を設ける必要もなく、比較的安価で簡単に、冷房運転開始時に室内に臭気が拡散されることを防止することができるものである。
【図面の簡単な説明】
【図１】この発明の一実施例の断面図。
【図２】同要部の拡大斜視図。
【図３】同制御装置の系統図。
【符号の説明】
４　熱交換器
５　送風ファン
８　上吸込口
１６　水平羽根
１９　ルーバーモータ
２０　脱臭フィルタ
【図１】
2004144325.tif 000003
【図２】
2004144325.tif 000004
【図３】
2004144325.tif 000005